(57)【要約】【課題】  画像の切り替え時に表示欠陥が生じ難い画像表示媒体への電界印加方法、画像表示媒体および画像表示装置を提供する。【解決手段】  基板１５Ａに所定間隔に配置された走査電極１１Ａ〜１１Ｈに対して、基板１５Ａに対向配置された基板１５Ｂにデータ電極１２Ａ〜１２Ｈがマトリクス状に配置されている。基板１５Ａと基板１５Ｂの間には、４画素単位のセル１３が仕切部材１４によって形成され、セル１３のそれぞれには帯電している白色粒子１７Ａと黒色粒子１７Ｂが封入されている。走査電極１１Ａ〜１１Ｈの内、セル１３のそれぞれで最初に走査される走査電極１１Ａ，１１Ｃ，１１Ｅ，１１Ｇには、細い幅の予備走査電極２０Ａ〜２０Ｄが走査開始側に平行に配置されている。【選択図】      図１
2006078596.tif 000002
【特許請求の範囲】
【請求項１】
複数の行と複数の列の各交点にそれぞれ画素を配列した画像表示媒体への電界印加方法において、
前記複数の行のうち所定の行に予備的な電界を付与するステップと、
前記予備的な電界が付与された前記所定の行に画像データに応じた電界を付与するステップとを含むことを特徴とする画像表示媒体への電界印加方法。
【請求項２】
空隙を有して対向配置された一対の基板と、
前記空隙を仕切部材によって仕切ることにより複数のセルを２次元的に配列したセルアレイと、
前記セルアレイの前記複数のセルにそれぞれ収容された所定の帯電特性を有する粒子群と、
前記セルアレイの一方の側に配置され、選択電圧が所定の方向に順次印加される複数の走査電極と、
前記セルアレイの他方の側に前記走査電極と直交するように配置され、画像データに応じた電圧が印加される複数のデータ電極と、
前記仕切部材を介してその近傍に位置する一対の走査電極間に設けられ、前記選択電圧が印加される予備走査電極部とを備えたことを特徴とする画像表示媒体。
【請求項３】
前記予備走査電極部は、前記一対の走査電極のうち前記所定の方向と反対側の走査電極から独立して設けられたことを特徴とする請求項２に記載の画像表示媒体。
【請求項４】
前記予備走査電極部は、前記一対の走査電極のうち前記所定の方向と反対側の走査電極と一体化して設けられたことを特徴とする請求項２に記載の画像表示媒体。
【請求項５】
前記予備走査電極部は、前記所定の方向側の前記セルに食み出して形成されたことを特徴とする請求項２に記載の画像表示媒体。
【請求項６】
前記予備走査電部の前記セルへの食み出し量は、前記走査電極の幅の１／５以下、または１００μｍ以下であることを特徴とする請求項５に記載の画像表示媒体。
【請求項７】
前記セルアレイは、１つの前記セルに対応して複数の前記走査電極が配置されたことを特徴とする請求項２に記載の画像表示媒体。
【請求項８】
前記セルアレイは、１つの前記セルに対応して１つの前記走査電極が配置されたことを特徴とする請求項２に記載の画像表示媒体。
【請求項９】
前記粒子群は、互いに逆の極性に帯電した着色粒子により構成されていることを特徴とする請求項２に記載の画像表示媒体。
【請求項１０】
複数の行と複数の列の各交点にそれぞれ画素を配列した画像表示媒体と、
前記複数の行のうち所定の行に予備的な電界を付与する予備電界手段と、
前記予備的な電界が付与された前記所定の行に画像データに応じた電界を付与する画像電界付与手段とを含むことを特徴とする画像表示装置。
【請求項１１】
前記予備電界手段および前記画像電界付与手段は、前記画像表示媒体の外部で電極ヘッドを移動させて前記複数の行に選択電圧を順次印加するとともに、選択電圧を印加した前記行に画像データに応じた電圧を印加することを特徴とする請求項１０に記載の画像表示装置。
【請求項１２】
空隙を有して対向配置された一対の基板と、
前記空隙を仕切部材によって仕切ることにより複数のセルを２次元的に配列したセルアレイと、
前記セルアレイの前記複数のセルにそれぞれ収容された所定の帯電特性を有する粒子群と、
前記セルアレイの一方の側に配置され、選択電圧が所定の方向に順次印加される複数の走査電極と、
前記セルアレイの他方の側に前記走査電極と直交するように配置され、画像データに応じた電圧が印加される複数のデータ電極と、
前記仕切部材を介してその近傍に位置する一対の走査電極間に設けられ、前記選択電圧が印加される予備走査電極部と、
前記複数の走査電極および前記予備走査電極部に前記選択電圧を印加するとともに、前記画像データに応じた電圧を印加する電圧印加部とを備えたことを特徴とする画像表示装置。
【請求項１３】
前記予備走査電極部は、前記一対の走査電極のうち前記所定の方向と反対側の走査電極から独立して設けられたことを特徴とする請求項１２に記載の画像表示装置。
【請求項１４】
前記電圧印加部は、前記予備走査電極部に前記選択電圧を印加するとともに、前記一対の走査電極のうち前記所定の方向側の走査電極が選択されたときに前記複数のデータ電極に印加される電圧と同一の電圧を前記複数のデータ電極に印加することを特徴とする請求項１３に記載の画像表示装置。
【発明の詳細な説明】
【技術分野】
【０００１】
本発明は、電圧の印加によって画像が書き込まれると共に、無電源による表示が可能な画像表示媒体への電界印加方法、画像表示媒体および画像表示装置に関し、特に、画像の切り替え時に表示欠陥が生じ難い画像表示媒体への電界印加方法、画像表示媒体および画像表示装置に関する。
【背景技術】
【０００２】
従来の画像表示媒体として、電界により帯電性の粒子を移動させて画像表示を行うものが知られている（例えば、特許文献１参照。）
【０００３】
この画像表示媒体は、表面基板部材上に形成された列電極を誘電体膜により保護した透光性を有する表面基板と、背面基板部材上に形成された行電極を誘電体膜により保護した背面基板と、基板間を微小な間隔に対向配置させると共に、基板間を基板と平行な方向に仕切って複数のセルを形成する仕切り部材と、負に帯電した白色粒子群と正に帯電した黒色粒子群とを各セル内に封止して構成され、セル毎に一つの画素が設定されている。
【０００４】
この画像表示媒体において、行電極と列電極との間に電圧を印加すると、電極間の画素に電界が形成され、電界の向きに応じて白色粒子と黒色粒子が表面基板または背面基板側へ移動し、表面基板の内側に付着した白色粒子と黒色粒子とのコントラストにより表面基板を通して白黒の画像表示が行われる。
【０００５】
この構成によれば、電界を変化させない限り表示が消えないため、メモリ性を持たせることができると共に、電気泳動や磁気泳動を用いた画像表示媒体のように液体を必要としないため、表示切替速度が速く、コントラストの高い画像を表示することができる。
【０００６】
図６は、従来の画像表示媒体を示す。この画像表示媒体１０は、水平方向に配置されると共に一つの方向に一定間隔（例えば、２０〜３０μｍ）に配置された行電極としての走査電極１１Ａ〜１１Ｈと、この走査電極１１Ａ〜１１Ｈに対して直交する方向に一定間隔に配置された列電極としてのデータ電極１２Ａ〜１２Ｈと、走査電極１１Ａ〜１１Ｈとデータ電極１２Ａ〜１２Ｈとが重なる部分に形成されると共に内部に帯電性の粒子が封入されているセル１３と、このセル１３を形成する樹脂材による仕切部材１４とを有する。ここでは、セル１３はそれぞれが４画素からなる１６個としているが、任意の数にすることができる。なお、走査電極１１Ａ〜１１Ｈとデータ電極１２Ａ〜１２Ｈの交差部を実線で示しているが、実際には、データ電極１２Ａ〜１２Ｈは所定の間隙をもってセル１３の裏側に配設されている。
【０００７】
（画像表示装置の構成）
図７は、図６の画像表示媒体を用いた画像表示装置を示す。この画像表示装置１００は、画像表示媒体１０と、表示したい画像等が格納されている画像記憶部２１と、画像記憶部２１から読み出した画像データに基づいて画像表示媒体１０への表示制御を行う制御部２２と、制御部２２の制御の下に図示しない内蔵のパルス電源回路により画像表示媒体１０に所定のパルス電圧を印加する電圧印加部２３とを有する。
【０００８】
画像表示媒体１０は、所定の間隔に配設された透明な一対の基板１５Ａ，１５Ｂと、基板１５Ａの内側に配設された前記走査電極１１Ａ〜１１Ｈと、基板１５Ｂの内側に配設された前記データ電極１２Ａ〜１２Ｈ（１２Ｂ〜１２Ｈは、紙面の上下方向に配置されている。）と、走査電極１１Ａ〜１１Ｈとデータ電極１２Ａ〜１２Ｈのそれぞれの内側に配設された誘電体層１６Ａ，１６Ｂと、誘電体層１６Ａ，１６Ｂ間の空隙（例えばギャップ５０〜２００μｍ）に形成された前記セル１３と、このセル１３内に封入された白色粒子１７Ａおよび黒色粒子１７Ｂとを備える。
【０００９】
（画像表示装置の動作）
次に、図６および図７を参照して画像表示装置１００の動作について説明する。まず、制御部２２は電圧印加部２３を制御し、画像表示媒体１０の初期化を行う。次に、制御部２２は、画像記憶部２１から画像データを読み出すと共に、電圧印加部２３を制御する。まず、最初の画像データに対応する画素部分に交差している走査電極１１Ａとデータ電極１２Ａ〜１２Ｈに対し、電圧印加部２３で生成した電圧を印加する。
【００１０】
このとき、白色粒子１７Ａと黒色粒子１７Ｂは、摩擦帯電により互いに異なる極性に帯電している。例えば、白色粒子１７Ａが負に帯電し、黒色粒子１７Ｂは正に帯電している。走査電極１１Ａとデータ電極１２Ａ〜１２Ｈに電圧を印加した場合、負に帯電した白色粒子１７Ａは、正電圧が印加されたデータ電極１２Ａ〜１２Ｈ側に移動して誘電体層１６Ｂの内面に付着し、正に帯電した黒色粒子１７Ｂは、走査電極１１Ａ側の誘電体層１６Ａの内面に付着する。
【００１１】
走査電極１１Ａに対する走査が終了すると、以後、走査電極１１Ｂから１１Ｈに順次所定時間間隔で電圧印加の切り換えを行うと共に、その切り換えごとに、上記したようにしてデータ電極１２Ａ〜１２Ｈに電圧が印加される。これにより、１枚分の白黒画像が表示される。
【００１２】
以上のようにして画像表示媒体１０に表示された画像は、走査電極１１Ａ〜１１Ｈとデータ電極１２Ａ〜１２Ｈへの電圧の印加を停止しても、白色粒子１７Ａおよび黒色粒子１７Ｂと誘電体層１６Ａ，１６Ｂとの間の静電付着力が維持されるため、粒子１７Ａ，１7Ｂは誘電体層１６Ａ，１６Ｂの内面に付着したまま保持され、長時間にわたって白黒画像が表示される。この白黒画像は、外部光（例えば太陽光や照明光）１０１が照射されているとき、基板１５Ａを通して視線Ｅの方向から反射光１０２として見ることができる。
【００１３】
【特許文献１】特開２００３−１０７５３３号公報（［００１５］〜［００４４］、図１〜図６）
【発明の開示】
【発明が解決しようとする課題】
【００１４】
しかし、従来の画像表示媒体によると、画像の切り替え時、特に、同一画像を長時間保持した後で、次の画像を表示する際、粒子が駆動されないセルあるいはドットが発生し、図６の矢印Ｘで示すセル１３のそれぞれの１番目の走査電極１１Ａ，１１Ｃ，１１Ｅ，１１Ｇに表示欠陥を引き起こすことがある。その原因は、表示保持中に粒子の帯電量が徐々に低下し、電圧を印加しても粒子が応答しにくくなり、また、粒子と基板との付着力が増加して印加電圧に対する粒子の応答性が低下することにある。また、高解像度に対応してドットを構成する粒子数の減少に伴って駆動し易い粒子の数が減少することも原因している。なお、２番目の走査電極１１Ｂ，１１Ｄ，１１Ｆ，１１Ｈは、直前の走査電極１１Ａ，１１Ｃ，１１Ｅ，１１Ｇに電圧が印加されたとき、その電界によって２番目の走査電極の近傍の粒子が移動しやすくなるため、表示欠陥の発生は１番目の走査電極に比べて非常に少なくなる。
【００１５】
従って、本発明の目的は、画像の切り替え時に表示欠陥が生じ難い画像表示媒体への電界印加方法、画像表示媒体および画像表示装置を提供することにある。
【課題を解決するための手段】
【００１６】
本発明は、上記目的を達成するため、複数の行と複数の列の各交点にそれぞれ画素を配列した画像表示媒体への電界印加方法において、前記複数の行のうち所定の行に予備的な電界を付与するステップと、前記予備的な電界が付与された前記所定の行に画像データに応じた電界を付与するステップとを含むことを特徴とする画像表示媒体への電界印加方法
を提供する。
【００１７】
所定の行に予備的な電界を付与することにより、その所定の行は活性化されるので、所定の行に予備的な電界に続いて画像データに応じた電界を付与することにより、表示欠陥の少ない表示が可能となる。ここで「活性化」とは、予備的な電界だけでは画素（ドット）の表示が切り替わる状態にまでは変化していないが、予備的な電界に続いて画像データに応じた電界の付与によって画素の表示が切り替わる状態になっていることをいう。
【００１８】
本発明は、上記目的を達成するため、空隙を有して対向配置された一対の基板と、前記空隙を仕切部材によって仕切ることにより複数のセルを２次元的に配列したセルアレイと、
前記セルアレイの前記複数のセルにそれぞれ収容された所定の帯電特性を有する粒子群と、前記セルアレイの一方の側に配置され、選択電圧が所定の方向に順次印加される複数の走査電極と、前記セルアレイの他方の側に前記走査電極と直交するように配置され、画像データに応じた電圧が印加される複数のデータ電極と、前記仕切部材を介してその近傍に位置する一対の走査電極間に設けられ、前記選択電圧が印加される予備走査電極部とを備えたことを特徴とする画像表示媒体を提供する。
【００１９】
予備走査電極部に選択電圧を印加することにより、仕切部材の所定の方向側の近傍の画素列が活性化されるので、その画素列に対応する走査電極に選択電圧を印加することにより、表示欠陥の少ない表示が可能となる。
【００２０】
セルの配列は、マトリックス状でも、千鳥状でもよい。一対の基板のうち表示面側となる基板は、無色透明、有色透明、半透明等の透光性を有する基板を用いる。走査電極とデータ電極は、セルアレイを介して配置されているのなら、一対の基板のどちら側に設けてもよい。
【００２１】
上記予備走査電極部は、上記一対の走査電極のうち所定の方向と反対側の走査電極から独立して設けてもよく、一体化して設けてもよい。一体化して設けることにより、走査ライン数が減り、コストアップを抑えることができる。
【００２２】
上記予備走査電極部は、上記一対の走査電極の中央もに設けてもよく、所定の方向にずらして設けてもよいが、所定の方向側のセルに食み出して形成することが好ましい。この場合、その食み出し量は、走査電極の幅の１／５以下、または１００μｍ以下とする。これにより、安定して電界を予備的に付与することができ、画素欠陥の発生をより防止することができる。
【００２３】
上記セルアレイは、１つのセルに対応して複数の走査電極を配置してもよく、１つの走査電極を配置してもよい。
【００２４】
上記粒子群は、互いに逆の極性に帯電した着色粒子により構成してもよい。これにより２色以上の画像表示が可能となる。着色粒子は、白色，黒色等の無彩色粒子、あるいは赤色，緑色，青色等の有彩色粒子でもよい。
【００２５】
本発明は、上記目的を達成するため、複数の行と複数の列の各交点にそれぞれ画素を配列した画像表示媒体と、前記複数の行のうち所定の行に予備的な電界を付与する予備電界手段と、前記予備的な電界が付与された前記所定の行に画像データに応じた電界を付与する画像電界付与手段とを含むことを特徴とする画像表示装置を提供する。
【００２６】
上記予備電界手段および上記画像電界付与手段は、画像表示媒体の外部で電極ヘッドを移動させて複数の行に選択電圧を順次印加するとともに、選択電圧を印加した行に画像データに応じた電圧を印加するようにしてもよい。
【００２７】
本発明は、上記目的を達成するため、空隙を有して対向配置された一対の基板と、前記空隙を仕切部材によって仕切ることにより複数のセルを２次元的に配列したセルアレイと、
前記セルアレイの前記複数のセルにそれぞれ収容された所定の帯電特性を有する粒子群と、
前記セルアレイの一方の側に配置され、選択電圧が所定の方向に順次印加される複数の走査電極と、前記セルアレイの他方の側に前記走査電極と直交するように配置され、画像データに応じた電圧が印加される複数のデータ電極と、前記仕切部材を介してその近傍に位置する一対の走査電極間に設けられ、前記選択電圧が印加される予備走査電極部と、前記複数の走査電極および前記予備走査電極部に前記選択電圧を印加するとともに、前記画像データに応じた電圧を印加する電圧印加部とを備えたことを特徴とする画像表示装置を提供する。
【００２８】
上記予備走査電極部は、上記一対の走査電極のうち所定の方向と反対側の走査電極から独立して設けてもよい。
【００２９】
上記電圧印加部は、予備走査電極部に選択電圧を印加するとともに、上記一対の走査電極のうち所定の方向側の走査電極が選択されたときに複数のデータ電極に印加される電圧と同一の電圧を複数のデータ電極に印加するようにしてもよい。
【発明の効果】
【００３０】
本発明によれば、画像の切り替え時に表示欠陥が生じ難くなる。
【発明を実施するための最良の形態】
【００３１】
［第１の実施の形態］
図１は、本発明の第１の実施の形態に係る画像表示装置の表示部を構成する画像表示媒体を示し、（ａ）は平面図、（ｂ）は（ａ）のＡ−Ａ線の断面図、図２は、画像表示装置の構成を示す図である。
【００３２】
（画像表示媒体の構成）
この画像表示媒体１は、水平方向に配置されると共に垂直方向に一定間隔に配置されたＩＴＯ（インジウム錫酸化物）からなる走査電極１１（１１Ａ〜１１Ｈ）と、走査電極１１Ａ〜１１Ｈに対して直交する方向に一定間隔に配置、すなわちマトリクス状に配置されたＩＴＯからなるデータ電極１２（１２Ａ〜１２Ｈ）と、走査電極１１Ａ〜１１Ｈとデータ電極１２Ａ〜１２Ｈとが重なる複数の部分を含むように形成されたセルアレイとしての複数のセル１３と、これらのセル１３を形成する樹脂材からなる仕切部材１４と、走査電極１１Ａ，１１Ｃ，１１Ｅ，１１Ｇの各上側、すなわち走査開始側に平行配置された予備走査電極部としての予備走査電極２０（２０Ａ〜２０Ｄ）とを有する。
【００３３】
ここでは、走査電極１１および予備走査電極２０とデータ電極１２との交差部は、実線で示しているが、実際には、データ電極１２Ａ〜１２Ｈは所定の間隙をもって走査電極１１Ａ〜１１Ｈの裏側に配設されている。なお、セル１３は１６個としているが、任意の数にすることができる。また、同じセルサイズの場合、１つのセルに介在する電極数を多くするほど、表示解像度を上げることができる。
【００３４】
画像表示媒体１の内部構造は、図１の（ｂ）に示す如くであり、透明ガラス基板等からなると共に内側に走査電極１１Ａ〜１１Ｈおよび予備走査電極２０Ａ〜２０Ｄが配設された表面側の透明の基板１５Ａと、エポキシ樹脂等からなると共に内側にデータ電極１２Ａ〜１２Ｈが配設された背面側の基板１５Ｂと、走査電極１１Ａ〜１１Ｈおよび予備走査電極２０Ａ〜２０Ｄのそれぞれを覆うように形成された誘電体層１６Ａと、データ電極１２Ａ〜１２Ｈを覆うように形成された誘電体層１６Ｂと、誘電体層１６Ａ，１６Ｂ間に上記仕切部材１４によって形成された上記複数のセル１３と、これらのセル１３内に封入された白色粒子１７Ａおよび黒色粒子１７Ｂからなる粒子群とを備えている。
【００３５】
誘電体層１６Ａ，１６Ｂは、ポリカーボネート、ポリエステル、ポリイミド、エポキシ等からなり、走査電極１１Ａ〜１１Ｈ、予備走査電極２０Ａ〜２０Ｄ、データ電極１２Ａ〜１２Ｈのそれぞれの保護のほか、粒子１７Ａ，１７Ｂの帯電特性を安定化させるために設けられる。
【００３６】
白色粒子１７Ａは、例えば、体積平均粒径１５μｍの酸化チタン含有架橋ポリメチルメタクリレートの球状微粒子の１００重量部にイソプロピルトリメトキシシラン処理したチタニアの微粉末０．４重量部を外添して得ることができる。また、黒色粒子１７Ｂは、例えば、体積平均粒径１５μｍのカーボン含有架橋ポリメチルメタクリレートの球状微粒子を用いることができる。
【００３７】
予備走査電極２０Ａ〜２０Ｄは、走査電極１１Ａ〜１１Ｈと同一長さを有し、仕切部材１４の壁面からセル１３に食み出す長さは、表示画像に影響を与えない値、例えば、走査電極１１Ａ〜１１Ｈの幅の１／５程度以下、または１００μｍ以下が望ましい。
【００３８】
（画像表示装置の構成）
画像表示装置２００は、図２に示すように、図１に示す画像表示媒体１と、表示したい画像等が格納されている画像記憶部２１と、画像記憶部２１から画像を読み出して画像表示媒体１に表示させる制御を実行する制御部２２と、初期化用電圧発生部２３Ａおよび表示用電圧発生部２３Ｂを備えると共に、制御部２２の制御のもとに内蔵のパルス電源回路により画像表示媒体１の走査電極１１Ａ〜１１Ｈ、予備走査電極２０Ａ〜２０Ｈ、およびデータ電極１２Ａ〜１２Ｈのそれぞれに所定のパルス電圧を印加する電圧印加部２３とを有する。
【００３９】
制御部２２は、例えば、ＣＰＵ、ＲＯＭ、ＲＡＭ、入出力インターフェース（Ｉ／Ｆ）回路等を備えて構成されている。ＣＰＵは、ＲＯＭに格納された制御プログラムに従って電圧発生部２３Ａ，２３Ｂを選択して動作させると共に、画像記憶部２１からの画像データに基づいて基板１５Ａ，１５Ｂ間の各電極に電圧を印加させる。なお、制御部２２と画像記憶部１１によってパーソナルコンピュータを構成してもよい。また、画像記憶部１１は、ＣＤ−ＲＯＭ等の記録媒体やＬＡＮ(Local Area Network)等のネットワークを介して画像データを入力してもよい。
【００４０】
（画像表示装置の動作）
次に、図１および図２を参照して画像表示装置２００の動作について説明する。
【００４１】
（１）初期化
まず、制御部２２は、電圧印加部２３の初期化用電圧発生部２３Ａを制御して画像表示媒体１の初期化を行う。この初期化では、例えば、±２００Ｖで１００Ｈｚから１０ｋＨｚの交番電圧を走査電極１１Ａ〜１１Ｈとデータ電極１２Ａ〜１２Ｈ間に印加して、白色粒子１７Ａを一方の基板側に移動させ、黒色粒子１７Ｂを他方の基板側に移動させる動作を繰り返す。これにより、白色粒子１７Ａおよび黒色粒子１７Ｂは衝突、反発を繰り返し帯電特性が安定化する。また、セル内の粒子配置が均一な状態になる。さらに、走査電極１１Ａ〜１１Ｈと同時に予備走査電極２０Ａ〜２０Ｄに初期化用電圧発生部２３Ａの出力電圧を印加して初期化を行えば、より完全な初期化が可能である。
【００４２】
（２）画像書込み
次に、制御部２２は、画像記憶部２１から画像データを読み出し、電圧印加部２３を制御して画像書込み制御を実行する。すなわち、単純マトリックス駆動により走査電極１１Ａ〜１１Ｈおよび予備走査電極２０Ａ〜２０Ｄに図１において上から下に向かって順次表示用電圧発生部２３Ｂから選択電圧を印加させて走査するとともに、選択電圧の印加に同期してデータ電極１２Ａ〜１２Ｈに画像データに対応した画像電圧を表示用電圧発生部２３Ｂから印加させる。但し、予備走査電極２０Ａ〜２０Ｄを走査したときのデータ電極１２Ａ〜１２Ｈに印加する画像電圧は、直ぐ下側に隣接配置された走査電極１１Ａ，１１Ｃ，１１Ｅ，１１Ｇを走査するときと同じ画像電圧を先行して印加する。
【００４３】
予備走査電極２０Ａに選択電圧を印加したときは、１行目の画素に対応する走査電極１１Ａに表示するための画像データに対応した画像電圧をデータ電極１２Ａ〜１２Ｈに印加する。この予備走査電極２０Ａによって生じる電界は、走査電極１１Ａの近傍に及ぶため、走査電極１１Ａの予備走査電極２０Ａ側のエッジ近傍の粒子１７Ａ，１７Ｂは電界によって揺すられ、移動し易い状態になる。
【００４４】
次に、１行目の画素に対応する走査電極１１Ａに選択電圧を印加するときは、画像データに対応した画像電圧をデータ電極１２Ａ〜１２Ｈに印加する。このとき、走査電極１１Ａの予備走査電極２０Ａ側のエッジ近傍は、予備走査電極２０Ａの走査時の電界によって、既に粒子１７Ａ，１７Ｂは移動し易い状態になっているため、走査電極１１Ａとデータ電極１２Ａ〜１２Ｈへの電圧印加に対して、粒子１７Ａ，１７Ｂは容易に移動することから、ドット不良の発生要因は生成されなくなる。
【００４５】
次に、２行目の画素に対応する走査電極１１Ｂに選択電圧を印加するとともに、画像データに対応した画像電圧をデータ電極１２Ａ〜１２Ｈに印加する。以降は上述したように走査電極を順次選択するとともに、その選択に同期してデータ電極に画像データに対応した画像電圧を印加する。
【００４６】
電極に印加する電圧は、例えば、走査電極１１および予備走査電極２０には、走査時に０Ｖを印加し、非走査時に＋７０Ｖの電圧を印加する。また、データ電極１２Ａ〜１２Ｈには、例えば、白色表示する画素に０Ｖ、黒色表示する画素に＋１４０Ｖの電圧を印加する。
【００４７】
白色粒子１７Ａと黒色粒子１７Ｂは、摩擦帯電により互いに異なる極性に帯電している。例えば、白色粒子１７Ａが負に帯電し、黒色粒子１７Ｂは正に帯電している。また、白色粒子１７Ａと黒色粒子１７Ｂは、走査電極とデータ電極間に７０Ｖを超える電位差を与えないと対向基板側へは移動せず、１４０Ｖの電位差を与えると、ほぼ全ての粒子が対向基板側へと移動する。この状態において、走査電極１１Ａ〜１１Ｈに選択電圧（０Ｖ）を印加し、＋１４０Ｖの画像電圧を印加したデータ電極１２Ａ〜１２Ｈの画素では、負に帯電した白色粒子１７Ａは、正電圧が印加されたデータ電極１２Ａ〜１２Ｈ側に移動して誘電体層１６Ｂの内面に付着し、正に帯電した黒色粒子１７Ｂは、走査電極１１Ａ〜１１Ｈ側の誘電体層１６Ａの内面に付着する。これとは逆に、走査電極１１Ａ〜１１Ｈに選択電圧（０Ｖ）を印加し、０Ｖの画像電圧を印加したデータ電極１２Ａ〜１２Ｈの画素では、正に帯電した黒色粒子１７Ｂは、０Ｖが印加されたデータ電極１２Ａ〜１２Ｈ側に留まって誘電体層１６Ｂの内面に付着したままであり、負に帯電した白色粒子１７Ａはも、走査電極１１Ａ〜１１Ｈ側の誘電体層１６Ａの内面に付着したままである。また、選択されていない走査電極には＋７０Ｖの電圧が印加されており、データ電極に０Ｖあるいは１４０Ｖの電圧が印加されても、走査電極とデータ電極との間には最大で７０Ｖの電位差しか与えられないため、選択されていない走査電極部では粒子の移動が起こらず、これによる表示乱れは発生しない。
【００４８】
このようにして白色粒子１７Ａおよび黒色粒子１７Ｂが画像電圧に応じて表面側の基板１５Ａ側あるいは背面側の基板１５Ｂ側に移動し、画像表示媒体１には、１枚分の白黒画像が表示される。この白黒画像は、外部光１０１が照射されているとき、表面側の基板１５Ａを通して視線Ｅの方向から反射光１０２として見ることができる。
【００４９】
（３）画像保持
以上のようにして画像表示媒体１に表示された白黒画像は、走査電極１１Ａ〜１１Ｈ、予備走査電極２０Ａ〜２０Ｄ、およびデータ電極１２Ａ〜１２Ｈへの電圧の印加を停止しても、白色粒子１７Ａおよび黒色粒子１７Ｂと誘電体層１６Ａ，１６Ｂとの間の静電付着力や、物理的な付着力（例えばファンデルワールス力）が維持されるため、粒子１７Ａ，１７Ｂは誘電体層１６Ａ，１６Ｂの内面に付着したまま保持され、長時間にわたって白黒画像が表示される。
【００５０】
（第１の実施の形態の効果）
この第１の実施の形態によれば、予備走査電極２０によってセル１３内の最初の行の粒子に電界を付与して粒子を活性化した後、その行に画像データに応じた電界を付与しているので、セル１３内の最初の行に表示欠陥が発生するのを防止することができる。
【００５１】
［第２の実施の形態］
図３は、本発明の第２の実施の形態に係る画像表示媒体を示す。同図中、（ａ）は平面図、（ｂ）は（ａ）のＢ−Ｂ線の断面図である。この画像表示媒体１は、第１の実施の形態において、予備走査電極２０Ａ〜２０Ｄと走査電極１１Ｂ，１１Ｄ，１１Ｆに代えて、各走査電極１１Ｂ，１１Ｄ，１１Ｆを各予備走査電極２０Ａ〜２０Ｄの下側の縁まで延在させて幅広にした走査電極１１Ｂ’，１１Ｄ’，１１Ｆ’を用いたものであり、その他の構成は、第１の実施の形態と同様である。
【００５２】
走査電極１１Ｂ’，１１Ｄ’，１１Ｆ’の次段のセル１３内へのはみ出し量は、第１の実施の形態における予備走査電極２０Ａ〜２０Ｄと同様であり、走査電極１１Ａ〜１１Ｈの幅の１／５程度以下、または１００μｍ以下とする。走査電極１１Ｂ’，１１Ｄ’，１１Ｆ’のうち走査電極１１Ａ〜１１Ｈより走査方向に長い部分が予備走査電極部に相当する。
【００５３】
この第２の実施の形態によれば、走査電極１１Ｂ’，１１Ｄ’，１１Ｆ’を次段のセル１３内に食み出させているので、ドット不良の発生を防止することができる。また、画素に対して走査ライン数を増加させることなく、ドット不良の発生を抑制できるため、製品コストのアップを抑えることができる。また、第１の実施の形態と比較して走査回数が減るので画像の書込み時間が短くなる。
【００５４】
［第３の実施の形態］
図４は、本発明の第３の実施の形態に係る画像表示媒体を示す。同図中、（ａ）は平面図、（ｂ）は（ａ）のＣ−Ｃ線の断面図である。この画像表示媒体１は、第１の実施の形態において、１つのセル１３を１本の走査電極１１と１本のデータ電極１２間に介在させて、１画素単位の表示が行えるようにし、予備走査電極２０Ａ〜２０Ｆも走査電極１１Ａ〜１１Ｅ毎に設けたものであり、その他の構成は第１の実施の形態と同様である。
【００５５】
この第３の実施の形態によれば、第１の実施の形態と同様にドット不良を防止することができる。また、１セルで１ドットを構成しているので、ドット間で粒子の移動がなくなるため、均質な画像を得ることができる。
【００５６】
［第４の実施の形態］
図５は、本発明の第４の実施の形態に係る画像表示媒体を示す。同図中、（ａ）は平面図、（ｂ）は（ａ）のＤ−Ｄ線の断面図である。この画像表示媒体１は、第２の実施の形態において、１つのセルに各１本の走査電極１１とデータ電極１２を介在させ、１つのセル１３が１つの画素で構成されるようにしたものであり、その他の構成は、第２の実施の形態と同様である。この実施の形態における走査電極１１の全ては、第２の実施の形態に示した走査電極１１Ｂ’と同じ幅を有する走査電極１１Ａ’〜１１Ｅ’・・・としている。
【００５７】
この第４の実施の形態によれば、第３の実施の形態と同様にドット不良を防止することができる。また、第３の実施の形態と比較して走査ライン数が少なくなることから、コストアップを抑えることができ、画像の書込み時間を短くすることができる。
【００５８】
［他の実施の形態］
なお、本発明は、上記各実施の形態に限定されず、その要旨を変更しない範囲内で種々な変形が可能である。例えば、その要旨を変更しない範囲内で各実施の形態間の構成要素の組合せは任意に行うことができる。
【００５９】
また、第１および第４の実施の形態において、予備走査電極２０、あるいは予備走査電極部を有する走査電極１１Ｂ’，１１Ｄ’，１１Ｆ’の走査方向の端部を仕切部材１４の走査方向の壁に重なるように配置してもよい。この構成により、ドット不良の防止効果は低下するものの、表示品質を劣化させることなくドット不良を改善することができる。同様の効果は、予備走査電極部の中心を仕切部材１４の中心に一致させた構成によっても、中心をずらした構成によっても達成することができる。
【００６０】
また、メモリ性を有する画像表示媒体として、上記の他に、ロイコ染料を用いた感熱記録媒体や、強誘電液晶に代表されるメモリ性を有する液晶や、帯電した粒子を移動させて表示を切り替える電気泳動方式、帯電した粒子を回転させて表示を切り替える粒子回転方式、磁気により粒子を移動させて表示を切り替える磁気泳動方式等の他の画像表示媒体を用いてもよい。
【図面の簡単な説明】
【００６１】
【図１】本発明の第１の実施の形態に係る画像表示装置の表示部を構成する画像表示媒体を示し、（ａ）は平面図、（ｂ）は（ａ）のＡ−Ａ線の断面図である。
【図２】本発明の第１の実施の形態に係る画像表示装置を示す構成図である。
【図３】本発明の第２の実施の形態に係る画像表示媒体を示し、（ａ）は平面図、（ｂ）は（ａ）のＢ−Ｂ線の断面図である。
【図４】本発明の第３の実施の形態に係る画像表示媒体を示し、（ａ）は平面図、（ｂ）は（ａ）のＣ−Ｃ線の断面図である。
【図５】本発明の第４の実施の形態に係る画像表示媒体を示す。同図中、（ａ）は平面図、（ｂ）は（ａ）のＤ−Ｄ線の断面図である。
【図６】従来の画像表示媒体の平面図である。
【図７】従来の画像表示装置を示す構成図である。
【符号の説明】
【００６２】
１  画像表示媒体
１０  画像表示媒体
１１Ａ〜１１Ｈ、１１Ｂ’，１１Ｄ’，１１Ｅ’  走査電極
１２Ａ〜１２Ｈ  データ電極
１５Ａ〜１５Ｄ  予備走査電極
１３  セル
１４  仕切部材
１５Ａ，１５Ｂ  基板
１６Ａ，１６Ｂ  誘電体層
１７Ａ  白色粒子
１７Ｂ  黒色粒子
２０Ａ〜２０Ｆ  予備走査電極
２１  画像記憶部
２２  制御部
２３  電圧印加部
２３Ａ  初期化用電圧発生部
２３Ｂ  表示用電圧発生部
１００  画像表示装置
１０１  外部光
１０２  反射光
２００  画像表示装置
【図１】
2006078596.tif 000003
【図２】
2006078596.tif 000004
【図３】
2006078596.tif 000005
【図４】
2006078596.tif 000006
【図５】
2006078596.tif 000007
【図６】
2006078596.tif 000008
【図７】
2006078596.tif 000009